(57)【要約】【課題】  両面液晶表示パネル用の面発光装置において、高輝度を実現するとともに、裏写りを排除することを目的とする。【解決手段】  光源からの光を導く入射面と、該入射面と略直角に交わる第１の面（３０１ａ）と第２の面（３０１ｂ）とを有し、該入射面より導かれた光を、該第１および第２の面（３０１ａ、３０１ｂ）より出射する導光部材３０１と、前記第１および第２の面（３０１ａ、３０１ｂ）に積層される反射シート（３０４ｂ、３０４ａ）と、を備え、前記第１の面（３０１ａ）に積層される反射シート（３０４ｂ）と前記第２の面（３０１ｂ）に積層される反射シート（３０４ａ）とがずれて積層されていることを特徴とする。【選択図】  図４
2007048635.tif 000002
【特許請求の範囲】
【請求項１】
光源からの光を導く入射面と、該入射面と略直角に交わる第１の面と第２の面とを有し、該入射面より導かれた光を、該第１および第２の面より出射する導光部材と、
前記第１および第２の面に積層される反射シートと、を備え、
前記第１の面に積層される反射シートと前記第２の面に積層される反射シートがずれて積層されていることを特徴とする面発光装置。
【請求項２】
光源からの光を導く入射面と、該入射面と略直角に交わる第１の面と第２の面とを有し、該入射面より導かれた光を、該第１および第２の面より出射する導光部材と、
前記第１および第２の面に積層される反射シートと、を備え、
前記第１の面に積層される反射シートは、前記第２の面に積層された反射シートにより反射し、前記第１の面より出射する光を遮光しないように配置されていることを特徴とする面発光装置。
【請求項３】
側部に光源が配置された導光板の表裏面に、光学シートと出射領域を規定する出射窓を有する遮光シートとがそれぞれ積層された面発光装置において、
前記導光板の表面側および裏面側に、所定の反射率が設定された高反射シートがずれて積層されていることを特徴とする面発光装置。
【請求項４】
側部に光源が配置された導光板の表裏面に、光学シートと出射領域を規定する出射窓を有する遮光シートとがそれぞれ積層された面発光装置において、
前記導光板の表面側および裏面側に、所定の反射率が設定された高反射シートが、互いの出光領域を遮光しないように積層されていることを特徴とする面発光装置。
【発明の詳細な説明】
【技術分野】
【０００１】
本発明は、液晶表示パネル等に用いられる面発光装置に関するものである。
【背景技術】
【０００２】
従来より、液晶表示パネル等を照明する装置として、フロントライト或いはバックライトと称される面発光装置が知られている。面発光装置は、導光板の側方に点状又は線状の光源（ＬＥＤ）を配置し、光源からの光を導光板内に入射して反射させ、導光板の上方又は下方へ出射するものである。
【０００３】
図１および図２は、従来の面発光装置の一例を示す図（断面構成図）であり、図１は片面液晶表示パネル用の面発光装置の構造を、図２は両面液晶表示パネル用の面発光装置の構造をそれぞれ示している（図１と図２とで、相互に対応する部分については、同一の参照番号を付してある）。
【０００４】
同図に示すように、導光板１０１の液晶表示面側（矢印側）には光学シート１０２（または１０２ａ、１０２ｂ）を積層され、光源１０５からの光が液晶表示面に対して均一に出射されるよう構成されている。出射領域は遮光シート１０３（または１０３ａ、１０３ｂ）により規定されている。
【０００５】
さらに、片面液晶表示パネル用の面発光装置（図１）にあっては、出射効率を向上させるため、導光板１０１の液晶表示面と反対側の面に高反射シート１０４が積層されている。
【特許文献１】特開２００４−１１１３５３号公報
【特許文献２】特開２００４−１０９９９２号公報
【特許文献３】特開２００４−０４６０５０号公報
【発明の開示】
【発明が解決しようとする課題】
【０００６】
これに対して、両面液晶表示パネル用の面発光装置（図２）の場合、表裏両面に液晶表示面があるため、高反射シート１０４を使用することができず、出射効率が悪い。このため、液晶表示パネル上で十分な輝度が確保できないという問題がある。
【０００７】
かかる問題に対して、例えば、裏面の液晶表示面を除いた部分（裏面の遮光シート１０３ｂと同じ部分）について高反射シートを積層することも考えられる。しかしながら、この場合、高反射シートを積層した部分と積層していない部分とで液晶表示面の輝度に差が生じ、いわゆる「裏写り」と呼ばれる現象が発生する。
【０００８】
本発明は、上記課題に鑑みてなされたものであり、両面液晶表示パネル用の面発光装置において、高輝度を実現するとともに、裏写りを排除することを目的とする。
【課題を解決するための手段】
【０００９】
上記の目的を達成するために本発明に係る面発光装置は以下のような構成を備える。即ち、
光源からの光を導く入射面と、該入射面と略直角に交わる第１の面と第２の面とを有し、該入射面より導かれた光を、該第１および第２の面より出射する導光部材と、
前記第１および第２の面に積層される反射シートと、を備え、
前記第１の面に積層される反射シートと前記第２の面に積層される反射シートがずれて積層されていることを特徴とする。
【００１０】
また、本発明に係る他の面発光装置は、以下のような構成を備える。
【００１１】
光源からの光を導く入射面と、該入射面と略直角に交わる第１の面と第２の面とを有し、該入射面より導かれた光を、該第１および第２の面より出射する導光部材と、
前記第１および第２の面に積層される反射シートと、を備え、
前記第１の面に積層される反射シートは、前記第２の面に積層された反射シートにより反射し、前記第１の面より出射する光を遮光しないように配置されていることを特徴とする。
【００１２】
また、本発明に係る他の面発光装置は、以下のような構成を備える。
【００１３】
側部に光源が配置された導光板の表裏面に、光学シートと出射領域を規定する出射窓を有する遮光シートとがそれぞれ積層された面発光装置において、
前記導光板の表面側および裏面側に、所定の反射率が設定された高反射シートがずれて積層されていることを特徴とする。
【００１４】
また、本発明に係る他の面発光装置は、以下のような構成を備える。
【００１５】
側部に光源が配置された導光板の表裏面に、光学シートと出射領域を規定する出射窓を有する遮光シートとがそれぞれ積層された面発光装置において、
前記導光板の表面側および裏面側に、所定の反射率が設定された高反射シートが、互いの出光領域を遮光しないように積層されていることを特徴とする。
【発明の効果】
【００１６】
本発明によれば、両面液晶表示パネル用の面発光装置において、高輝度を実現するとともに、裏写りを排除することが可能となる。
【発明を実施するための最良の形態】
【００１７】
以下、添付図面を参照して本発明の好適な実施の形態を詳細に説明する。
【００１８】
＜面発光装置の分解斜視図＞
図３は、本発明の一実施形態に係る両面液晶表示パネル用の面発光装置の分解斜視図である。面発光装置は、これから説明する各構成が不図示のフレーム内に積層されて収容され、その表裏面にそれぞれ配設される液晶表示パネルを照明する。
【００１９】
面発光装置は導光板３０１を備える。導光板３０１は、アクリル樹脂やポリカーボネート樹脂に代表される合成樹脂等の透光性材料からなる板状の部材である。本実施形態の場合、導光板３０１は、直方体形状をなしており、４つの側面と、導光板３０１内へ入射した光が液晶表示パネルへ向けて出射する出射面（表）３０１ａ、出射面（裏）３０１ｂと、を有する。４つの側面のうち、光源３０５が配された面が光源３０５からの光が入射する入射面を構成する（入射面と出射面（表）、出射面（裏）とは略直角に交わる）。
【００２０】
導光板３０１の入射面には導光板３０１内へ光を入射させる光源３０５が配されている。本実施形態の場合、光源３０５としてＬＥＤ等の点状光源を例示するが、冷陰極線管等の線状光源でもよい。光源３０５からの光は導光板３０１の入射面から導光板３０１内に入射して導光板３０１内を伝播し、その一部が出射面（表）３０１ａ、出射面（裏）３０１ｂからそれぞれ出射することになる。
【００２１】
導光板３０１の出射面（表）側、出射面（裏）側にはそれぞれ光学シート３０２ａ、３０２ｂが積層されている。光学シート３０２ａ、３０２ｂは、例えば、プリズムシート、拡散シートであり、本実施形態では表裏各１枚ずつ図示しているが、複数種類の光学シートを採用することができる。なお、本書においてシートにはフィルム、板の双方が含まれる。導光板３０１の出射面（表）側、出射面（裏）側にはまた、それぞれ面発光装置の出射領域を規定する出射窓３０６ａ、３０６ｂを有する遮光シート３０３ａ、３０３ｂが積層されている。出射窓３０６ａは出射面（表）側の液晶表示パネルに応じた大きさに設定され、出射窓３０６ｂは出射面（裏）側の液晶表示パネルに応じた大きさに設定されている。遮光シート３０３ａ、３０３ｂの導光板３０１側の面は光の反射面を構成する。
【００２２】
さらに導光板３０１の出射面（表）側、出射面（裏）側の所定の領域には高反射シート３０４ａ、３０４ｂが積層される。高反射シート３０４ａ、３０４ｂは輝度を向上する面と反対側の面に積層される。例えば、出射面（表）側（遮光シート３０３ａ側）の輝度を向上する場合には出射面（裏）側（遮光シート３０３ｂ側）に破線で示す高反射シート３０４ａが積層される。逆に、出射面（裏）側の輝度を向上する場合には出射面（表）側に破線で示す高反射シート３０４ｂが積層される。
【００２３】
＜面発光装置の断面構成＞
図４は、本発明の一実施形態に係る面発光装置の断面構成を示す図である（図３の分解斜視図のｘ−ｙ平面についての断面構成図である）。
【００２４】
本実施形態にかかる面発光装置は、複数の光源３０５と、導光板３０１と、光学シート３０２ａ、３０２ｂと、遮光シート３０３ａ、３０３ｂと、高反射シート３０４ａ、３０４ｂとが、ｘ−ｙ平面において図４に示すように配置されている。
【００２５】
つまり、本実施形態にかかる面発光装置は、出射面（表）用の高反射シート３０４ａならびに光学シート３０２ａと、出射面（裏）用の高反射シート３０４ｂならびに光学シート３０２ｂとが、ｙ軸方向において干渉しないよう、ｘ軸方向に相互にずれた位置に配置されている点に特徴がある。
【００２６】
表／裏面用の高反射シート３０４ａ、３０４ｂならびに光学シート３０２ａ、３０２ｂのこのような配置は、表面用の液晶表示パネルと裏面用の液晶表示パネルとがｘ軸方向に相互にずれた位置に設置されることが前提となるが、出射領域にあわせてこのように配置することで、高反射シートを使用することが可能となり、両面液晶表示パネルにおける高輝度を実現することが可能となる。
【００２７】
また、出射面（表）に積層される高反射シート３０４ｂは、出射面（表）の面に積層された高反射シート３０４ａにより反射し、出射面（表）より出射する光を遮光しないように配置されているため、高反射シートを使用した場合であっても、従来の面発光装置のように、出射領域内に高反射シートが積層されている領域と積層されていない領域とが発生するといったことがなくなり、いわゆる「裏写り」が生じることもない。
【００２８】
以上の説明から明らかなように、本実施形態によれば、両面の液晶表示パネル用の面発光装置において、高輝度を実現するとともに、裏写りを排除することが可能となる。
【００２９】
なお、本実施形態の場合、ｘ軸方向にずらした場合について説明したが、本発明はこれに限られず、例えば、ｚ軸方向にずらすようにしてもよい。
【図面の簡単な説明】
【００３０】
【図１】従来の面発光装置（片面）の構成を示す図である。
【図２】従来の面発光装置（両面）の構成を示す図である。
【図３】本発明の一実施形態にかかる面発光装置の分解斜視図である。
【図４】本発明の一実施形態にかかる面発光装置の断面構成図である。
【符号の説明】
【００３１】
３０１：導光板
３０２：光学シート
３０３：遮光シート
３０４：高反射シート
３０５：光源
【図１】
2007048635.tif 000003
【図２】
2007048635.tif 000004
【図３】
2007048635.tif 000005
【図４】
2007048635.tif 000006